(57)【要約】　　　（修正有）【課題】ギター等の弦楽器の分野において、初心者でも簡単に美しい音を出すことができる演奏用スライダーを提供する。【解決手段】金属、セラミックス、樹脂または複合材などで形成された断面円形のパイプを長手方向にくの字状に曲げテクニックの改善を図る。また、パイプの指背側を削り１９のようにリングにし、パイプ曲げ部の内側面が指先で押され固定する部分を２０のように全体に凸の突起として持たせ、指の関節の自然な曲がり力をバネとして固定する。【選択図】図３
2004029688.tif 000002
【特許請求の範囲】
【請求項１】
以下の様に構成した楽器用スライダー（弦等に演湊時当ててスライドさせ音を変化させる楽器用演湊道具。以降「スライダーと呼称する。」）
１）金属またはセラミックスまたは樹脂または複合材等で形成している。
２）形状は、一部に断面形状の大きさ・形自由のパイプ又はリングに本体不使用凹部３指おさえ１９を有する。（一体となっておらず使用時のみ付属するものも含む）
３）演湊時使用部本体の一部又は全体に曲面２１を有する。
４）演湊時使用部本体の指側〔図２〕の指おさえ（指背側）３、と固定できる指先曲面凸部２０を有する。（曲表面は、凸・凹どちらでもかまわない。）
【請求項２】
〔請求項１〕においてパイプ又はリング状指おさえ又は、指先曲面を含む指背側本体の一部又は全面に、２種以上の金属を指の血流方向に対し交互かつ電気的に可逆的に平行に並べた部品２３、を一体に有するスライダー。
【請求項３】
〔請求項１〕において、パイプ又はリング状指おさえ部２０、に一部断面形状を変更できる継目（切目・継締）部２４を付属又は一体に持つスライダー。
【請求項４】
〔請求項１〜３〕において指背側本体の下部（指先曲面と反対の指付根）の２２（可動式；出を調整できるタイプを含む）を有する。
【請求項５】
〔請求項１〜４〕において指おさえ１９の位置が変更できるリング止穴２６と止具２５を有する等可動方式の１９を持つ。
【発明の詳細な説明】
【０００１】
〔考案が解決しようとする課題〕
本考案は、ギター等弦楽器のスライドテクニックを発揮できる道具に関する分野において、初心者でも簡単に使え職人的テクニックを練習で身に着けなくても美しい音を出す事ができる、今までにないスライドギター等演湊用スライダーを提供するものである。
従来、スライドギターの演湊は直線上のパイプを指に差込んで行うが、もともとボトルネック湊法とも呼ばれ、ビンの細口部を切取って演湊する起源があった。いずれも以下の様な問題点があった。
１）リード（メロディー演湊）時では、弦の上をスライドさせ音を出すとき右手の指で弦をはじく強弱の程度がむつかしく市販の直線パイプ状のものを指に押入して演湊しているときメロディー以外の他の弦上もこするのでポジションがどの弦に合わせているかわからなくなる。（パイプが全体にまたがる為。）
２）スライダーを弦におし着ける力の強弱加減も難しい。特に指よりも大きな太さのパイプ内面のものを使うとき、小さく指にきつい程度のものを使うときのいずれも注意が必要である。
演湊時使用の本体表面（弦側）で３弦〜６弦、４弦〜１弦でのリードを和音を含めて行なうとき全体（４本の弦）をスライダーでおさえ込んで行うときの力の加減は特にむつかしい。その理由は、単音リードと和音リードで湊法を（おさえる弦の本数を）変えると力加減が特に難しくなるので一般に美しい音を出しにくい。又、同時にタタキ押付や未湊弦にヒッカケ・サワリを起し雑音を出し易い事による。（これらは、各弦の調弦時圧力がギターの構造や使用弦の太さや物性により異なる事もあり起因の１つとなっている。）
３）指に差込んで演湊するとき指に合わないパイプは、やや小さくきつい場合、プレイ途中で抜きにくい為、プレイが端切れる。又指より太きすぎるときは、指ではさんだりして固定・押付により演湊するがあせ等ですべる事により不完全になり易い。特にスライダーをギター上部から出してのショルダー演湊では、スライダーが抜けて落ち易くなる。（使用時、天地逆向となる為。）
以上の様に問題点があった。
【０００２】
〔課題を解決する為の手段〕
本発明は、上記課題を解決する為、パイプを断面円形のパイプを長手方向に対しても熱を加えて曲げて図１の状態にしてくの字に曲げ凸部分で演湊する事でテクニックの改善を計る事を基本とし、
▲１▼曲げ方により１）・２）の課題のテクニックを改善する事や同時にできる▲２▼３．（１９）部分により３）の課題を改善できる方法としてを確立したものである。
さらにパイプ本体の指背側を削り１９をそのままリングにした〔図３〕（ｂ）のタイプとしパイプ曲げ部の内側面が指先で押され個定する部分を２０の様に表面凸・凹自由の全体に凸の突起として持たせ指の自然な関節の曲り力をバネとして個定する進化した物まで提案するものであります。タイプの基本型として図１〜図４のタイプを提案するものですが靖求項２は、図４の２３の様に健康改善できる（血管内の血流に作用して活性水素を発生させる）技術部品を付属させ楽器部品として利用しない時は健康器具として活用できるタイプを提案する。又請求項４は、人の指の太さが様々である為〔図３〕〔図４〕の２２の様に個定式又は可動式凸起を設ければ４本の全体の指にも合うと同時に基本的に指の太さに差があっても何人も使用できるタイプにする事ができる。（小指等でプレイする時の個定の為凸部を大きくすると有効である。）
同様に請求項３は、図３−（ｂ）の１９連続部をリング状等にして一部継目（カット部２４）を設け使用指に合せる為、変形させ微調整できるタイプを提案するものである。
【０００３】〔作用・実施例・発明の効果〕
課題の解決手段を図１〜図４の様に効じると改善された。又、実際上はくの字の曲り方をゆるやかにする事や位置を変える事や指背側の凸起や指先おさえの凸起（表面凹が一般）部の間隔が人の指先から第２間節までの距離にほぼ一致する為使う指のパイプの太さによって距離を変える専用タイプが健老で使い易く各指専用に各１本を用意するのが良い。
演湊時使用部２１を端部に（上部）位置させれば全体に使用部に直線も多くなる為、３本以上の弦を同時に和音等湊る事も可能で従来と同様の使用もできる
又、指への装着時にスライダーは、抜けにくくなり弦圧を指が感じる事ができ弦との接触感がプレーの実感を高め右手（右ききの人の）の弦をピックする力が強くても対応できる為音がビビリにくく確実なプレーとする事ができた。又、雑音を出す事が少なく、美しい音でメロディーを演湊できた。又、神経を使わずして簡単な使い方で操作も自然にできた。
又、請求項２を実施すると身近に持歩いて健康改善もでき、練習の回数も増える前向な効果があった。
又、請求項３・４・５は、他の人と練習したりする時や自分の指使いを変えるときに特に有効でありフィット感を得られた。フィットするとショルダーを使ってギターを下げ、上からスライダーを下に向けて使うスタンドプレーにおいて抜けにくく有効であった。スライダーから一般プレーに移るときも指をそらせると簡単にスライダーが抜け素早い連続プレーができた。人間の指は、意識するとよくソらせる事ができるが無意識の指曲力の強さも大きいので個定時はおしつけられフィットする。
【図面の簡単な説明】
【図１】装着の状態透視図
【図２】演湊時状態透視図
【図３】生産時加工切削必要状態図（ａ）と加工切削実施可能例（ｂ）
【図４】指おさえ凸起例図と健康部品図（ａ）使用断面図（ｂ）平面透視図
【符号の説明】
１　本体（使用部一部直線面有タイプ）
２．本体（使用部全体に曲面有タイプ）
３．本体不使用凹部
４．本体使用面垂直部
５．ギターネック部
６．６弦
７．５弦
８．４弦
９．３弦
１０．２弦
１１．１弦
１２．薬指
１３　中指
１４．人差指
１５．親指
１６．左手（右ききの人）
１７．切削部（段差）
１８．Ｒ−Ｒ′切削部
１９．指おさえ凸起
２０：指先曲面凸部
２１：演湊時使用部本体曲面
２２：指背側本体下部
２３．部品（健康器具）
２４　継目部
２５　止具
２６　止穴
【図１】
2004029688.tif 000003
【図２】
2004029688.tif 000004
【図３】
2004029688.tif 000005
【図４】
2004029688.tif 000006